(57)【特許請求の範囲】
【請求項１】
直方体状の本体の一面にプラグと接続されるコネクタを内包する突起部が形成されたジャックを、携帯機器のケースの内側から、前記ケースに形成された取り付け穴に前記突起部を挿入させて固定するジャック固定構造において、
前記ジャックの本体の両側の側面には、前記突起部の挿入方向とほぼ垂直なジャック側溝が形成され、
前記ケースには、前記取り付け穴の内側に前記ジャックの本体の両側の側面に沿う壁面が形成されると共に、該壁面に、前記ジャックの突起部が前記取り付け穴に挿入された際に前記ジャック側溝に対向するケース側溝が形成され、
前記突起部の外周に耐水性及び弾性を持つパッキンを装着し、前記突起部を前記取り付け穴に対向させて前記ジャック側溝と前記ケース側溝とが一部重なるように配置し、両溝により形成される空間に先端が薄いくさび形に形成された固定部材を挿入してゆくことにより、前記ケースに対して前記ジャックをスライドさせ、前記突起部を前記取り付け穴に挿入させると共に、前記パッキンを前記取り付け穴の周囲のケースに密着させるようにしたことを特徴とする携帯機器のジャック固定構造。
【請求項２】
前記突起部は円筒形状であり、前記パッキンはＯリングであることを特徴とする請求項１に記載の携帯機器のジャック固定構造。
【請求項３】
前記固定部材は、前記ジャック本体の両側で前記両溝により形成される空間に挿入される２本の平行な足部と、該２本の足部の基端を接続する接続部とにより、ほぼコ字状に形成されていることを特徴とする請求項１に記載の携帯機器のジャック固定構造。
【請求項４】
前記携帯機器は、可撓性のチューブを駆動部により扱くように変形させることによりチューブ内の液体を移送するチューブポンプであることを特徴とする請求項１に記載の携帯機器の外部機器接続構造。
【発明の詳細な説明】
【技術分野】
【０００１】
本発明は、携帯機器に電源ケーブル等のケーブルのプラグを接続するためのジャックを固定する構造に関する。
【背景技術】
【０００２】
電気機器には、外部の装置に接続された信号ケーブルや、ＡＣアダプターの電源ケーブル等を接続するため、ケーブルの先端に設けられたプラグを差し込んで電気的な接続を得るためのジャックが設けられたものがある。
【０００３】
例えば、特許文献１の図１には、合成樹脂製の筐体内に基板とジャックボードとを配置し、基板にジャックを固定し、ジャックの前部をジャックボートの穴に挿入し、プラグを差し込むことができるようにした構造が開示されている。ここでは、プラグの抜き差しによるジャックのぐらつきを防ぐため、金属製のバーにより筐体とジャックボードとが補強されている。
【先行技術文献】
【特許文献】
【０００４】
【特許文献１】特開２００８−２８２５６４号公報  図１、段落００２２
【発明の概要】
【発明が解決しようとする課題】
【０００５】
しかしながら、特許文献１の構造では、防水機能を持たせることが困難である。すなわち、ジャックはジャックボードに対しては直接固定されていないため、両者の間にパッキンを挿入しても、パッキンによる反力がジャックボートとジャックとの間にて十分に作用しない。そのため、ジャックを基板に強固に固定しておかない限り、パッキンを密着させる力が作用せず、結果的にジャックボードの穴においてジャックに対する水密を保つことが困難となる。
本発明は、上述した従来技術の問題点に鑑みてなされたものであり、汎用のジャックを用いつつ、ケース（ジャックボード）とジャックとの間にパッキンを介在させる場合に該パッキンを両者間に密着させ得、気密かつ防水機能を持たせることができる携帯機器のジャック固定構造を提供することを目的とする。
【課題を解決するための手段】
【０００６】
本発明は、上記の目的を達成させるため、直方体状の本体の一面にプラグと接続されるコネクタを内包する突起部が形成されたジャックを、携帯機器のケースの内側から、ケースに形成された取り付け穴に突起部を挿入させて固定するジャック固定構造において、ジャックの本体の両側の側面に、突起部の挿入方向とほぼ垂直なジャック側溝を形成し、ケースの取り付け穴の内側にジャックの本体の両側の側面に沿う壁面を形成し、この壁面に、ジャックの突起部が取り付け穴に挿入された際にジャック側溝に対向するケース側溝を形成し、突起部の外周に耐水性及び弾性を持つパッキンを装着し、突起部を取り付け穴に対向させてジャック側溝とケース側溝とが一部重なるように配置し、両溝により形成される空間に先端が薄いくさび形に形成された固定部材を挿入し、この固定部材を挿入することにより、ケースに対してジャックをスライドさせ、突起部を取り付け穴に挿入させると共に、パッキンを取り付け穴の周囲のケースに密着させるようにしたことを特徴とする。
【０００７】
突起部が円筒形状の場合には、パッキンとしてはＯリングを利用することができる。また、固定部材は、ジャック本体の両側で両溝により形成される空間に挿入される２本の平行な足部と、これらの２本の足部の基端を接続する接続部とにより、ほぼコ字状に形成されていることが望ましい。
【０００８】
携帯機器としては、可撓性のチューブを駆動部により扱くように変形させることによりチューブ内の液体を移送するチューブポンプに適用することができる。
【発明の効果】
【０００９】
本発明によれば、固定部材のくさび形状を利用してジャックの突起部をケースの取り付け穴に挿入させつつ、パッキンをジャックとケースとの間に挟持させることができ、汎用のジャックをケースに直接強固に固定することができ、かつ、防水機能を持たせることができる。
【図面の簡単な説明】
【００１０】
【図１】本発明の実施の形態に係るジャック固定構造を適用した携帯機器であるチューブポンプの外観を示す斜視図である。
【図２】図１のチューブポンプを示す平面図である。
【図３】図１のチューブポンプを示す背面図である。
【図４】図１のチューブポンプを示す側面図である。
【図５】図１のチューブポンプに組み付けられるチューブカセットを示す平面図である。
【図６】図１のチューブポンプの下ケーシングへのジャックの取り付け方法を示す斜視図である。
【図７】図６に示す固定部材を拡大して示す斜視図である。
【図８】図６に示す下ケーシングの一部と下ケーシングに取り付けられる前のジャックとを示す断面図である。
【図９】図８に示すジャックをパッキンがケーシング内部に当接するまで移動させた状態を示す断面図である。
【図１０】図８に示す溝間の空間に固定部材を挿入して固定した状態を示す断面図である。
【図１１】図１のチューブポンプのジャック取り付け後の状態を示す断面図である。
【発明を実施するための形態】
【００１１】
以下、本発明の実施の形態に係る携帯機器のジャック固定構造を図面に基づいて説明する。本実施の形態では、携帯機器としてチューブポンプを使用している。図１は、このチューブポンプの外観を示す斜視図である。最初に、チューブポンプ１００の全体構成を図１〜図４に基づいて説明する。図１〜図４は、実施の形態に係るチューブポンプ１００の外観を示し、図１は斜視図、図２は平面図、図３は背面図、図４は側面図である。
【００１２】
チューブポンプ１００は、上ケーシング１０と下ケーシング２０とを組み合わせることによりほぼ直方体状に形成され、これらのケーシングにより囲まれた内部にバッテリー、制御回路、モータ等が収納されている。
【００１３】
上ケーシング１０の上面には、図１及び図２に示されるように、電源ボタンを含む複数の操作ボタン１１が配置されると共に、中央には表示パネルとしての液晶ディスプレイ（ＬＣＤ）１２が取り付けられている。
【００１４】
また、上ケーシング１０の上面の右側には、図５に示すチューブカセット２００を取り付ける取付部Ａが形成されている。取付部Ａには、その中心位置に、内蔵するモータの回転軸１３が導出され、この回転軸１３の周囲に上下スライド可能に配置され、内蔵するスプリングにより上方に付勢された円形のスプリングプレート１４、後述のセンサが内蔵されたチューブ押さえブロック（以下センサブロックという）３０、このセンサブロック３０の近傍に取り付けられチューブカセット２００を取付部Ａに対し補助的に固定するためのインターロック機能を有するストッパ４０が取り付けられている。
【００１５】
センサブロック３０は、取付部Ａに取り付けられるチューブカセット２００のチューブが通される第１，第２の谷部３１、３２を形成するよう順に配列する第１、第２，第３の突出部３３、３４、３５を一体に形成して構成される。センサブロック３０は、機械的強度、耐摩耗性，耐薬品性に優れたＰＥＥＫ材等の樹脂で成形されている。
【００１６】
上ケーシング１０の背面には、駆動部Ａに取り付けられたチューブカセット２００を取り外す際に操作するイジェクトボタン１５と、このイジェクトボタン１５の操作をロックするためのロックレバー１６とが取り付けられている。
【００１７】
また、下ケーシング２０の側面には、図４に示すように、後述するバッテリー用の収容部を水密にカバーする蓋体としてのバッテリーカバー５０が取り付けられている。バッテリーカバー５０には、このバッテリーカバー５０を下ケーシング２０に対してロックし、あるいは、このロックを解除するためのロック操作部材５１が回転可能に設けられている。このロック操作部材５１に形成された溝に図示せぬ専用のキーを差し込んで回すことにより、ロックと解除とを切り換えることができる。
【００１８】
さらに、下ケーシング２０の側面には、カバー５０に隣接して通信コネクタ６０と電源コネクタ７０とが設けられている。通信コネクタ６０は、例えばチューブポンプ１００をＰＣ等に接続してデータの入出力を行う際に利用され、電源コネクタ７０は、チューブポンプ１００をＡＣ電源に接続されるＡＣアダプタのプラグを差し込んで利用される。
【００１９】
チューブカセット２００は、図５に示されるように、円板状の底面プレート２１１の外周に沿って、円筒壁２１２を形成し、この円筒壁２１２の内周に沿って可撓性を持つチューブ２２０を配置し、このチューブ２２０を押しつぶすように３つのローラ２３０を配置し、これらのローラ２３０の中央に取付部Ａの背面からモータの回転軸１３が挿通する軸孔２４０を形成することにより構成されている。
【００２０】
チューブカセット２００をチューブポンプ１００に取り付ける際には、チューブカセット２００の底面に形成された鈎状突起を取付部Ａに形成された溝に合わせ、底面プレート２１１によりスプリングプレート１４を押しつけながら図示せぬロック機構により鈎状突起がロックされるまで押し下げる。これにより、回転軸１３は各ローラの周面に当接し、かつ、チューブ２２０の一方、この例では上流側（イン側）がセンサブロック３０の第１の谷部３１に挿入され、チューブ２２０の他方、この例では下流側（アウト側）が第２の谷部３２に挿入される。
【００２１】
チューブカセット２００をチューブポンプ１００に取り付けてモータを回転させて回転軸１３を図２中の時計回りに回転させると、これに係合する３つのローラ２３０は反時計回りに自転しながら時計回りに公転する。これにより、チューブ２２０は扱くように順に変形され、チューブ２２０内の液体を移送することができる。なお、これらのモータの回転軸１３、ローラ２３０は、チューブ２２０を扱く駆動部を構成している。センサブロック３０は、チューブ２２０が駆動部から外部に導出される位置に配置されている。
【００２２】
チューブカセット２００をチューブポンプ１００から取り外す際には、ストッパ４０によるインターロックを解除した後、ロックレバー１６をスライドさせてロックを解除し、イジェクトボタン１５を押す。これにより、ロック機構が解除され、図示せぬスプリングの作用でスプリングプレート１４が上昇し、チューブカセット２００を取付部Ａから外すことができる。
【００２３】
なお、本実施形態のチューブポンプ１００は、チューブ２２０の径の縮小を検出する終了センサと、チューブの径の拡大を検出する閉塞センサと、チューブ内の気泡を検知する気泡センサを構成する送信部及び受信部とをセンサブロック３０内に備えている(図示は省略する)。
【００２４】
次に、上記のチューブポンプ１００の電源コネクタ７０を構成するＤＣジャック８０の固定構造について、図６〜図１０に基づいて詳細に説明する。図６は、図１のチューブポンプ１００の下ケーシング(ケース)２０へのＤＣジャック８０の取り付け方法を示す斜視図、図７は、図６に示される固定部材９０を拡大して示す斜視図、図８は、図６に示す下ケーシング２０の一部と下ケーシング２０に取り付けられる前のＤＣジャック８０とを示す断面図、図９は、図８に示すＤＣジャック８０をパッキン９１が下ケーシング２０の内部に当接するまで移動させた状態を示す断面図、図１０は、図８に示す溝間の空間に固定部材９０を挿入して固定した状態を示す断面図である。
【００２５】
図６に示すように、ＤＣジャック８０は、市販の汎用品であり、直方体状の本体８１の一面にプラグと接続されるコネクタを内包する円筒状の突起部８２を形成して構成される。ＤＣジャック８０は、突起部８２の外周に耐水性及び弾性を持つパッキンとしてのゴム製のＯリング９１を装着した状態で、下ケーシング２０の内側から、下ケーシング２０に形成された取り付け穴７１に突起部８２を挿入させて取り付けられ、固定部材９０により下ケーシング２０に固定される。
【００２６】
ＤＣジャック８０の本体８１の両側の側面には、突起部８２の挿入方向とほぼ垂直なジャック側溝８３、８３が形成されている。ジャック側溝８３は、この例では側面に突出して形成された２本の凸条に挟まれる空間として形成されている。
【００２７】
固定部材９０は、図７に示すように、２本の平行な足部９０ａ，９０ａと、２本の足部の基端を接続する接続部９０ｂとにより、ほぼコ字状に形成されている。足部９０ａは、先端が薄いくさび形に形成されている。
【００２８】
一方、下ケーシング２０には、取り付け穴７１の内側にＤＣジャック８０の本体８１の両側の側面に沿う壁面７２，７２が形成されると共に、これらの壁面に、ＤＣジャック８０の突起部８２が取り付け穴７１に挿入された際にジャック側溝８３に対向するケース側溝７３，７３が形成されている。ケース側溝７３も、この例では側面に突出して形成された２本の凸条に挟まれる空間として形成されている。
【００２９】
ＤＣジャック８０を下ケーシング２０に装着する際には、図９に示すように、ＤＣジャック８０の突起部８２の外周にＯリング９１を装着し、突起部８２を取り付け穴７１に対向させてジャック側溝８３とケース側溝７３とが一部重なるように配置する。なお、図９に示す状態では、Ｏリング９１はＤＣジャック８０の本体８１と下ケーシング２０との間に挟まれており、これ以上ＤＣジャック８０を図中左側に手で押しても、手を離すとＯリング９１の弾性により図９に示す状態に戻る。
【００３０】
そして、固定部材９０の足部９０ａを、ジャック側溝８３とケース側溝７３とにより形成される空間Ｓに挿入してゆく。足部９０ａに形成されたくさびにより、下ケーシング２０に対してＤＣジャック８０が図中左側にスライドし、図１０に示すように、突起部８２は取り付け穴７１に挿入されると共に、Ｏリング９１は変形して取り付け穴７１の周囲の下ケーシング２０に密着する。このとき、足部９０ａの先端に接着剤を塗布しておくことが望ましい。これにより、くさびの抜けを防止することができる。
【００３１】
図１１は、ＤＣジャック８０を取り付けた後のチューブポンプ１００を示す断面図である。上ケーシング１０には、制御回路が実装される主回路基板４００が装着され、駆動部Ａに相当する部位には、モータ３０６が取り付けられたモータ基板５００が装着されている。ＤＣジャック８０は、これらの回路基板とは独立して、下ケーシング２０に直接固定されている。
【００３２】
以上説明したように、本実施の形態によれば、固定部材９０を利用してＯリング９１をＤＣジャック８０と下ケーシング２０との間に挟み込むことにより、汎用のＤＣジャック８０を下ケーシング２０に直接強固に固定することができ、かつ、防水機能を持たせることができる。
【００３３】
また、上記実施形態では、固定部材９０をほぼコ字状に形成したものを示したが、本発明はこれに限るものではなく、例えば、足部９０ａを形成する２本の直線状部材により固定部材を構成するようにしてもよく、或いは、２本の足部９０ａを接続部により連結してほぼＵ字状に形成した固定部材としてもよい。
【００３４】
なお、本実施の形態では、本発明をチューブポンプのＤＣジャックに適用した例についてのみ説明したが、携帯機器としては、ポータブルラジオやノートパソコン等、他の電気機器にも適用でき、ジャックとしても、電源のみでなく、音声、映像等の各種の信号用のジャックに適用することもできる。
【００３５】
１００  チューブポンプ
１０  上ケーシング
２０  下ケーシング
７０  電源コネクタ
７１  取り付け穴
７２  壁面
７３  ケース側溝
８０  ＤＣジャック
８１  本体
８２  突起部
８３  ジャック側溝
９０  固定部材
９０ａ  足部
９０ｂ  連結部
９１  Ｏリング
【図１】
0005294503.tif 000002
【図２】
0005294503.tif 000003
【図３】
0005294503.tif 000004
【図４】
0005294503.tif 000005
【図５】
0005294503.tif 000006
【図６】
0005294503.tif 000007
【図７】
0005294503.tif 000008
【図８】
0005294503.tif 000009
【図９】
0005294503.tif 000010
【図１０】
0005294503.tif 000011
【図１１】
0005294503.tif 000012